(57)【要約】【課題】  操作者には確実に警告や操作案内といった音声を通知することができ、かつ、周囲には不要な音声放射を抑えることのできる医療装置を得る。【解決手段】  患者等の操作者が医療操作を行うための操作部１を備えると共に、操作者の方向にのみ音響放射する超指向性スピーカ３を設け、この超指向性スピーカ３より、警告音声と操作案内音声とを音響放射する。【選択図】        図１
2005192921.tif 000002
【特許請求の範囲】
【請求項１】
医療操作を行うための操作部を備えると共に、警告音声と操作案内音声とを出力する医療装置であって、
前記操作部を操作する操作者の方向にのみ前記警告音声と前記操作案内音声とを放射する超指向性スピーカを備えたことを特徴とする医療装置。
【請求項２】
警告音声と操作案内音声とを出力する一般指向特性スピーカを備え、
超指向性スピーカは、全ての警告音声と操作案内音声を出力し、前記一般指向特性スピーカは、前記警告音声と操作案内音声のうち、特定の警告音声と操作案内音声とを出力することを特徴とする請求項１記載の医療装置。
【請求項３】
医療操作を行うための操作部を備えると共に、警告音声と操作案内音声とを出力する医療装置であって、
前記操作部を操作する操作者の方向にのみ前記警告音声と前記操作案内音声とを放射する第１の超指向性スピーカと、
前記第１の超指向性スピーカの音響放射方向とは異なる方向に前記警告音声と前記操作案内音声とを放射する第２の超指向性スピーカとを備えたことを特徴とする医療装置。
【請求項４】
第１の超指向性スピーカは、全ての警告音声と操作案内音声を出力し、第２の超指向性スピーカは、警告音声と操作案内音声のうち、特定の警告音声と操作案内音声とを出力することを特徴とする請求項３記載の医療装置。
【請求項５】
第２の超指向性スピーカの音響放射方向は可変であることを特徴とする請求項３記載の医療装置。
【発明の詳細な説明】
【技術分野】
【０００１】
この発明は、警告音声や操作案内音声を特定の方向にのみ放射するようにした医療装置に関するものである。
【背景技術】
【０００２】
従来、例えば、人工透析器といった医療装置では、操作案内や警告等は表示部への表示のみであった。また、医療装置として異常発生時等に警告音声を出力するようにしたものがあった（例えば、非特許文献１参照）。
【０００３】
【非特許文献１】毎日新聞企業ニュースリリース、［online］、２００１年２月１５日、毎日新聞社、［平成１５年１１月２１日検索］、インターネット＜URL： http://www.mainichi.co.jp/universalon/clipping/200102/061.html＞
【発明の開示】
【発明が解決しようとする課題】
【０００４】
しかしながら、従来の医療装置では、その警告音声等は一般的な指向特性のスピーカによって出力されるため、その医療装置によって治療を行っている患者や介護者等の操作者以外にもその音声が大きく伝わってしまっていた。このため、例えば、病室にて複数の患者が治療を受けている場合等では、他の患者が操作している同一の機器からの案内や警告と誤認する場合があった。また、特に夜間に治療を行うような場合、このように音声を出力した場合は、他の患者や付き添いの家族といった患者以外の同室の者への騒音となっていた。
【０００５】
このような騒音を気にする患者等の操作者が拡声音量を小さく調整すると重要な警告を聞き漏らす恐れがあり、従って、騒音防止という観点から、人工透析といった長時間の治療に供する医療装置、特に就寝中に治療を行う装置では、単に警告音声を出力するといった構成は望ましいものではなかった。
【０００６】
この発明は上記のような課題を解決するためになされたもので、操作者には確実に警告や操作案内といった音声を通知することができ、かつ、周囲には不要な音声放射を抑えることのできる医療装置を得ることを目的とする。
【課題を解決するための手段】
【０００７】
この発明に係る医療装置は、超指向性スピーカによって、操作部を操作する操作者の方向にのみ警告音声と操作案内音声とを放射するようにしたものである。
【発明の効果】
【０００８】
この発明の医療装置は、超指向性スピーカから操作者の方向にのみ警告音声と操作案内音声とを放射するようにしたので、操作者には確実に警告音声や操作案内音声を通知することができると共に、周囲への警告音声や操作案内音声の放射を抑えることができる。
【発明を実施するための最良の形態】
【０００９】
実施の形態１．
以下、この発明の実施の形態１を説明する。
図１は、この発明の実施の形態１による医療装置を示す構成図である。
図２は、この発明の実施の形態１による医療装置の外観図である。
【００１０】
これらの図において、医療装置１００は、操作部１、表示部２、超指向性スピーカ３、超指向性スピーカ用音声処理部４、治療処理部５、記憶部６、制御部７からなる。
【００１１】
操作部１は、患者や介護者が医療装置の操作を行うための操作ボタン等の指示手段からなる機能部である。表示部２は、図２に示すように操作部１の上側に設けられ、各種の操作案内や警告を表示するための液晶パネル等からなる表示部である。超指向性スピーカ３は、図２に示すように操作部１の近傍に設けられ、特定の範囲にのみ音響放射が可能なスピーカである。即ち、超指向性スピーカ３は、操作者の方向として、操作部１のパネル面に対して垂直方向に音響放射するよう取り付けられている。また、超指向性スピーカ用音声処理部４は、超指向性スピーカ３を駆動するための変調器や増幅器からなり、これら超指向性スピーカ用音声処理部４と超指向性スピーカ３とによって、パラメトリックスピーカとして動作するものである。尚、パラメトリックスピーカの動作原理については公知であるため、ここでの説明は省略する。
【００１２】
治療処理部５は、例えば人工透析器における透析液の排出といった実際の治療処理を行う機構部であり、また、処理中に何らかの異常が発生した場合等、その異常信号を制御部７に出力するよう構成されている。記憶部６は、各種の警告音声データ８や操作案内音声データ９を格納するための記憶部である。また、警告音声データ８は、異常発生や操作ミスといった警告を行うための音声データ、操作案内音声データ９は、操作部１での操作や、治療処理部５で行う種々の操作に関する操作案内を行うための音声データである。
【００１３】
制御部７は、医療装置として各部の制御を司るための制御部である。即ち、操作部１からの操作に基づいて治療処理部５の制御を行ったり、治療処理部５からの各種信号に基づいて警告音声データ８や操作案内音声データ９を用いて超指向性スピーカ３で音声出力したりするための音声信号を超指向性スピーカ用音声処理部４に送出するといった制御を行う。また、制御部７は、各種の制御に対応したソフトウェアと、これを実行するためのＣＰＵやメモリといったハードウェアから構成されている。
【００１４】
次に、実施の形態１の動作について説明する。
図３は、医療装置の設置状態を示す説明図である。
図示例は、就寝中に治療を行う場合であり、患者（寝具のみ示し、その図示は省略している）の側方に医療装置１００を設置し、患者自身が操作部１を操作できるようにする。
【００１５】
このような設置状態において、患者が操作部１を操作すると、これに応じて制御部７は所定の案内表示を表示部２に出力すると共に、操作案内音声データ９に基づいて、所定の操作案内音声を超指向性スピーカ用音声処理部４に送る。超指向性スピーカ用音声処理部４は、パラメトリックスピーカとしての変調を行い、超指向性スピーカ３に送出する。これにより超指向性スピーカ３から操作案内音声の放射が行われる。この操作案内音声とは、例えば「次は、…して下さい」といった操作に関する案内である。尚、ここで、パラメトリックスピーカの動作については公知であるため、ここでの説明は省略する。
【００１６】
また、例えば、治療処理部５におけるシステムエラーや透析液が流れていないといった治療に関する異常が発生した場合、治療処理部５からは、その異常に対応した信号が制御部７に対して出力される。これにより、制御部７は、表示部２に警告表示を行うと共に、記憶部６の警告音声データ８に基づいて、対応した警告音声が出力されるよう超指向性スピーカ用音声処理部４に音声信号を送出する。
【００１７】
このような操作案内音声や警告音声は、超指向性スピーカ３より医療装置１００を操作する患者の方向にのみ放射されるため、介護者といった患者以外の者が同室内に居ても、他の人には音響放射されない。従って、患者は、他の人に気をつかって音量を小さくしなければならないといった配慮をする必要がなく、その結果、重要な警告を聞き漏らす恐れもなくすことができる。
【００１８】
以上のように、実施の形態１によれば、医療操作を行うための操作部１を備えると共に、警告音声と操作案内音声とを出力する医療装置であって、操作部１を操作する操作者の方向にのみ警告音声と操作案内音声とを放射する超指向性スピーカ３を備えたので、次のような効果がある。
【００１９】
即ち、患者や介護者等、実際に操作を行う者の方向にのみ、操作案内や警告音声が放射されるため、例えば、近くに同一の医療装置によって治療を行っているような場合でも、他の医療装置１００の操作案内や警告と間違うといったことを防止できる。また、周囲への騒音も減少させることができ、その結果、周囲に気をつかって音量を小さくしなければならないといったことがなくなるため、操作者は警告音声等も確実に聞くことができる。
【００２０】
実施の形態２．
実施の形態２は、上記の実施の形態１において、重要な警告音声等は一般指向特性のスピーカで同時に出力するようにしたものである。
【００２１】
図４は、実施の形態２の医療装置の構成図である。
図示の医療装置は、操作部１、表示部２、超指向性スピーカ３、超指向性スピーカ用音声処理部４、治療処理部５、記憶部６、制御部７ａ、一般指向特性スピーカ１０、一般指向特性スピーカ用音声増幅器１１からなる。
【００２２】
制御部７ａは、その基本的な機能は実施の形態１と同様であるが、警告音声を出力する場合、重要なものについては一般指向特性スピーカ１０でも音響放射するよう、これを一般指向特性スピーカ用音声増幅器１１に送出する機能を有している。また、一般指向特性スピーカ１０は、一般的な指向特性、即ち、超指向性スピーカ３の指向特性に比べて広い指向特性を有するスピーカであり、図２に示した医療装置１００では、超指向性スピーカ３と同様に装置の前面側に設置されるか、あるいは側面部に設けられている。一般指向特性スピーカ用音声増幅器１１は、制御部７ａからの警告音声信号を増幅して一般指向特性スピーカ１０を音声駆動するための増幅器である。尚、他の各構成は図１に示した実施の形態１と同様であるため、対応する部分に同一符号を付してその説明を省略する。
【００２３】
次に、実施の形態２の動作について説明する。
制御部７ａは、操作案内や警告の種類について、予めそれぞれの重要度の情報を持っている。例えば、余り重要でない警告の種類としては、処置結果のデータを記録するメモリカードが入っていない場合の警告といったものがある。即ち、これは朝起きてから（治療終了後に）メモリカードをセットしても済む程度のエラーであり、従って、警告としては余り重要でない部類に属する。
【００２４】
一方、重要な警告としては、上述したようにシステムエラーや透析液の流れが異常といったものである。即ち、このような場合は、就寝中であっても早急な処置が必要なものであるため、警告として重要な部類に属する。
【００２５】
制御部７ａは、このような重要な警告や操作案内と、そうでない警告や操作案内を識別するためのデータ（これについては図示省略している）を備えており、重要な警告や操作案内を行うようなケースが発生した場合、超指向性スピーカ用音声処理部４に出力すると共に、一般指向特性スピーカ用音声増幅器１１に出力する。
【００２６】
これにより、重要な警告や操作案内は一般指向特性スピーカ１０からも放射されるため、周囲の人や介護者にも通知することが可能となる。
【００２７】
尚、操作部１で、一般指向特性スピーカ１０の音量選択手段を設け、この音量選択手段による選択結果に基づいて、一般指向特性スピーカ用音声増幅器１１が音量を調整するよう構成してもよい。このようにすれば、周囲の環境や設置条件に応じて一般指向特性スピーカ１０からの音量を最適な状態に設定することができる。
【００２８】
また、上記の構成において、一般指向特性スピーカ１０で出力する音声として、警告と操作案内のうち、いずれか一方のみであってもよい。更に、どのような警告や操作案内を一般指向特性スピーカ１０側で出力するかは任意に設定が可能である。
【００２９】
以上のように、実施の形態２によれば、警告音声と操作案内音声とを出力する一般指向特性スピーカ１０を備え、超指向性スピーカ３は、全ての警告音声と操作案内音声を出力し、一般指向特性スピーカ１０は、警告音声と操作案内音声のうち、特定の警告音声と操作案内音声とを出力するようにしたので、警告や操作案内のうち、特定のものだけを操作者以外の者でも聞くことができる。従って、警告や操作案内のうち、重要なものだけを一般指向特性スピーカ１０で放射することにより、周囲への騒音を最小限に抑えながら、重要度に応じて、操作者本人と介護者や周囲の人に対して段階的に状況を知らせることが可能となる。
【００３０】
実施の形態３．
実施の形態３は、実施の形態２における一般指向特性スピーカ１０を、第２の超指向性スピーカとし、これを放射方向が選択できるようにしたものである。
【００３１】
図５は、実施の形態３による医療装置を示す構成図である。
図示の医療装置は、操作部１、表示部２、治療処理部５、記憶部６、制御部７ｂ、第１の超指向性スピーカ１２、第１の超指向性スピーカ用音声処理部１３、第２の超指向性スピーカ１４、第２の超指向性スピーカ用音声処理部１５を備えている。
【００３２】
制御部７ｂは、その基本的な機能は実施の形態１と同様であるが、警告音声を出力する場合、重要なものについては第２の超指向性スピーカ１４でも音響放射するよう、これを第２の超指向性スピーカ用音声処理部１５に送出する機能を有している。第１の超指向性スピーカ１２および第１の超指向性スピーカ用音声処理部１３は、実施の形態１，２における超指向性スピーカ３および超指向性スピーカ用音声処理部４と同様の機能部である。また、第２の超指向性スピーカ１４は、第１の超指向性スピーカ１２と同様に特定の方向にのみ音響放射を行うスピーカであり、図２に示した医療装置１００において、任意の方向にその放射方向を選択できるよう取り付けられている。尚、第２の超指向性スピーカ用音声処理部１５は、第１の超指向性スピーカ用音声処理部１３と同様の機能を有する音声処理部であり、この第２の超指向性スピーカ用音声処理部１５と第２の超指向性スピーカ１４とでパラメトリックスピーカを実現している。他の各構成は、実施の形態１と同様であるため、対応する部分に同一符号を付してその説明を省略する。
【００３３】
次に、実施の形態３の動作について説明する。
実施の形態３においても、制御部７ｂは、実施の形態２と同様に、操作案内や警告の種類について、予めそれぞれの重要度の情報を持っており、この情報に従って、重要なものについては、第１の超指向性スピーカ用音声処理部１３と共に、第２の超指向性スピーカ用音声処理部１５に出力する。
【００３４】
また、第２の超指向性スピーカ１４は、介護者といった重要な警告や操作案内を聞く必要がある人物の居る方向に向かって予め設定しておく。これにより、重要な警告や操作案内は第２の超指向性スピーカ１４から介護者等の人物に確実に通知することが可能となる。
【００３５】
尚、実施の形態３においても、第２の超指向性スピーカ１４の音量調節が可能となるよう構成してもよい。このようにすれば、よりきめ細かく第２の超指向性スピーカ１４の方向と音量を制御することができる。
【００３６】
以上のように、実施の形態３によれば、医療操作を行うための操作部１を備えると共に、警告音声と操作案内音声とを出力する医療装置であって、操作部１を操作する操作者の方向にのみ警告音声と操作案内音声とを放射する第１の超指向性スピーカ１２と、第１の超指向性スピーカ１２の音響放射方向とは異なる方向に警告音声と操作案内音声とを放射する第２の超指向性スピーカ１４とを備えたので、次のような効果がある。
【００３７】
即ち、患者や介護者等、実際に操作を行う者の方向にのみ、操作案内や警告音声が第１の超指向性スピーカ１２から放射されるため、例えば、近くに同一の医療装置によって治療を行っているような場合でも、他の医療装置１００の操作案内や警告と間違うといったことを防止できる。また、周囲への騒音も減少させることができ、その結果、周囲に気をつかって音量を小さくしなければならないといったことがなくなるため、操作者は警告音声等も確実に聞くことができる。
【００３８】
また、例えば、患者自身では操作が十分に行えない場合でも、第２の超指向性スピーカ１４の音響放射方向を介護者等の方向に向けておくことにより、その介護者は確実に警告音声や操作案内音声を聞くことができ、かつ、この場合でも患者や介護者以外にはこれらの音声放射を最小限に抑えることができる。従って、患者や介護者以外に他の家族等が就寝しているといった場合であっても、安心して装置を使用することができる。
【００３９】
また、実施の形態３によれば、第１の超指向性スピーカ１２は、全ての警告音声と操作案内音声を出力し、第２の超指向性スピーカ１４は、警告音声と操作案内音声のうち、特定の警告音声と操作案内音声とを出力するようにしたので、操作者には確実に警告音声や操作案内音声を通知することができると共に、患者以外の介護者等に対しては、例えば重要な警告音声や操作案内音声等、必ず通知する必要があるもののみを伝えるといったことが可能となる。
【００４０】
また、実施の形態３によれば、第２の超指向性スピーカ１４の音響放射方向を可変としたので、操作者以外の介護者といった者が医療装置に対してどのような位置に居る場合でも、その方向に対して確実に警告音声や操作案内音声を通知することができる。
【００４１】
尚、上記各実施の形態では、医療装置として人工透析器を例として説明した。本発明は、このように、特に治療時間が長く、また、周囲で同一装置が複数使用されるような場合に特に大きな効果を有するが、医療装置として、このような装置に限定されるものではなく、種々の医療装置に対して適用可能である。
【図面の簡単な説明】
【００４２】
【図１】この発明の実施の形態１による医療装置を示す構成図である。
【図２】この発明の実施の形態１による医療装置を示す外観図である。
【図３】この発明の実施の形態１による医療装置の設置状態を示す説明図である。
【図４】この発明の実施の形態２による医療装置を示す構成図である。
【図５】この発明の実施の形態３による医療装置を示す構成図である。
【符号の説明】
【００４３】
１  操作部、３  超指向性スピーカ、５  治療処理部、７，７ａ，７ｂ  制御部、８  警告音声データ、９  操作案内音声データ、１０  一般指向特性スピーカ、１２  第１の超指向性スピーカ、１４  第２の超指向性スピーカ。
【図１】
2005192921.tif 000003
【図２】
2005192921.tif 000004
【図３】
2005192921.tif 000005
【図４】
2005192921.tif 000006
【図５】
2005192921.tif 000007